(57)【要約】【課題】バッテリの着脱を容易にするとともに、バッテリが収容部から外れてしまう可能性を低減した電子機器を提供する。【解決手段】 電子機器１は、バッテリ３０を収容する収容部１２と、少なくとも一部が弾性を有する突起部４２と、を備える。バッテリ３０が収容部１２に収容されると、バッテリ３０の第１側部が収容部１２の端子に第１方向に押される。突起部４２は、バッテリ３０を収容部１２に収容する際に加わる力によりバッテリ３０の第２側部から押されて第１方向に略垂直な第２方向に変形し、バッテリ３０が収容部１２に収容されると復元してバッテリ３０を保持する。【選択図】図８
2018113426.tif 000002
【特許請求の範囲】
【請求項１】
バッテリを収容する収容部と、
少なくとも一部が弾性を有する突起部と、を備える電子機器であって、
前記バッテリが前記収容部に収容されると、当該バッテリの第１側部が当該収容部の端子により第１方向に押され、
前記突起部は、前記バッテリを前記収容部に収容する際に加わる力により前記バッテリの第２側部から押されて前記第１方向に略垂直な第２方向に変形し、前記バッテリが前記収容部に収容されると復元して当該バッテリを保持する、電子機器。
【請求項２】
前記収容部の周囲に位置し、前記バッテリの第２側部に対応する側壁を有し、
前記突起部は、前記側壁から派生するように形成され、
前記バッテリを前記収容部に収容する際に加わる力により、前記突起部の少なくとも一部が前記側壁に対して変位することで当該突起部が前記第２方向に変形する、
請求項１に記載の電子機器。
【請求項３】
前記突起部は、前記バッテリに対して、前記第１方向および前記第２方向に垂直な第３方向への力が加わることで、前記バッテリの前記第２側部から押されて前記第２方向に変形する、
請求項１又は２に記載の電子機器。
【請求項４】
前記バッテリは、当該バッテリが前記収容部に収容されている状態で、前記突起部に対し、前記第２方向に当接するとともに、前記第３方向とは逆の方向に当接する、
請求項１から３のいずれかに記載の電子機器。
【請求項５】
前記バッテリが前記収容部に収容された状態で当該バッテリを覆うバッテリカバーと、
前記バッテリカバーと前記収容部との間に介在するパッキンと、
前記パッキンを前記収容部に固定する枠状部材と、を備え、
前記突起部は、前記枠状部材に形成される、請求項１から４のいずれかに記載の電子機器。
【発明の詳細な説明】
【技術分野】
【０００１】
本開示は、電子機器に関する。より詳細には、本開示は、バッテリを収容する電子機器に関する。
【背景技術】
【０００２】
携帯電話またはスマートフォンなどのような携帯型電子デバイスの多くは、動作に必要な電力を供給するバッテリを備えている。一部のスマートフォンなどにおいては、筐体に内蔵されたバッテリをユーザが取り外すことができない仕様になっている。このようなバッテリの取り外しができない電子機器においては、内蔵されたバッテリをユーザが容易に交換することはできない。
【０００３】
一方、本体内部に収容されたバッテリを取り外すことができる電子機器は、収容されたバッテリを、ユーザが予備のバッテリと交換することができる。このような電子機器においては、例えば収容されたバッテリの電力が低減してしまっても、ユーザは、そのバッテリを、充電済みの予備のバッテリと交換することができる。
【先行技術文献】
【特許文献】
【０００４】
【特許文献１】特開２０１２−１５６３３８号公報
【発明の概要】
【発明が解決しようとする課題】
【０００５】
バッテリを収容した電子機器に例えば強い衝撃が加わったような場合に、バッテリの重量等に起因してバッテリが収容部から外れてしまうという事態を回避できれば、有利である。
【０００６】
本開示の目的は、バッテリの着脱を容易にするとともに、バッテリが収容部から外れてしまう可能性を低減した電子機器を提供することにある。
【課題を解決するための手段】
【０００７】
本開示に係る電子機器は、
バッテリを収容する収容部と、
少なくとも一部が弾性を有する突起部と、を備える。
前記バッテリが前記収容部に収容されると、当該バッテリの第１側部が当該収容部の端子に第１方向に押される。
前記突起部は、前記バッテリを前記収容部に収容する際に加わる力により前記バッテリの第２側部から押されて前記第１方向に略垂直な第２方向に変形し、前記バッテリが前記収容部に収容されると復元して当該バッテリを保持する。
【０００８】
本開示の実施形態によれば、バッテリの着脱を容易にするとともに、バッテリを収容部に固定することを、簡単な構成で実現できる。
【図面の簡単な説明】
【０００９】
【図１】本開示の実施形態に係る電子機器の外観を示す斜視図である。
【図２】本開示の実施形態に係る電子機器の内部構造を示す斜視図である。
【図３】本開示の実施形態に係る電子機器の内部構造を示す断面図である。
【図４】本開示の実施形態に係る電子機器の内部構造を示す分解斜視図である。
【図５】本開示の実施形態に係る電子機器の枠状部材を説明する拡大図である。
【図６】本開示の実施形態に係る電子機器の枠状部材を説明する断面図である。
【図７】本開示の実施形態に係る電子機器の動作を説明する図である。
【図８】本開示の実施形態に係る電子機器の動作を説明する図である。
【図９】本開示の実施形態に係る電子機器の動作を説明する図である。
【図１０】本開示の実施形態に係る電子機器の動作を説明する図である。
【発明を実施するための形態】
【００１０】
以下、本開示の実施形態について、図面を参照して説明する。
【００１１】
以下説明する本開示の実施形態においては、電子機器の一例として、スマートフォンのような携帯電話を想定して説明する。しかしながら、本開示の実施形態は、スマートフォンのような携帯電話に限定されるものではなく、例えばフィーチャーフォンタイプの携帯電話としてもよい。また、本開示の実施形態は、必ずしも携帯電話に限定されず、例えばタブレット端末、電子機器を遠隔操作するリモコン端末、デジタルカメラ、およびノートＰＣなど、各種の電子機器とすることができる。要するに、本開示の実施形態は、バッテリを収容する収容部を有する任意の電子機器とすることができる。
【００１２】
図１は、本開示の実施形態に係る電子機器の外観を示す斜視図である。
【００１３】
図１に示すように、本実施形態に係る電子機器１は、外観視において、ハウジング１０と、バッテリカバー２０とを含んで構成される。電子機器１をスマートフォンとする場合、図１に示すバッテリカバー２０の表面（Ｚ軸正方向を向く面）は、典型的には電子機器１の背面とすることができる。この場合、ハウジング１０の底面（Ｚ軸負方向を向く面）は、典型的には電子機器１の正面とすることができる。この場合、電子機器１の正面には、例えば各種の情報が表示されるディスプレイなどを配置することができる。
【００１４】
ハウジング１０は、電子機器１の筐体を構成している。ハウジング１０は、電子機器１を構成する各部品を収容している。また、ハウジング１０は、後述するように、電子機器１が動作するための電力を供給するバッテリを収容している。バッテリカバー２０は、後述するように、電子機器１に収容されたバッテリを覆っている。以下、電子機器１がバッテリを収容する観点と関連性の低い説明は、適宜簡略化または省略する。
【００１５】
図２は、電子機器１の内部構造を示す斜視図である。図２は、電子機器１のハウジング１０からバッテリカバー２０を取り外し、さらに、ハウジング１０からバッテリ３０を取り外した状態を示している。
【００１６】
図２に示すように、バッテリ３０は、表面３２と、側部３４とを有している。バッテリ３０は、電子機器１を動作させるのに適した容量を有する任意の二次電池または一次電池とすることができる。バッテリ３０は、電子機器１の機能および仕様に応じて、種々の電気的特性を有するものとし得る。このため、以下、バッテリ３０の電気的特性の観点からの説明は、適宜簡略化または省略する。
【００１７】
バッテリ３０は、図２に示すように、直方体に近い形状とすることができる。また、バッテリ３０は、電子機器１に電力を供給するための端子３６を備えている。後述するように、バッテリ３０を電子機器１に収容した状態において、バッテリ３０の端子３６は、電子機器１側の端子と接触するように構成されている。端子３６は、図２に示すような配置に限定されず、電子機器１側の端子と接触するような任意の構成を採用することができる。
【００１８】
図２に示すように、電子機器１は、ハウジング１０内において、収容部１２を有している。電子機器１がバッテリ３０を収容する際には、収容部１２は、バッテリ３０を収容する。図２においては、バッテリ３０は、収容部１２から取り外されている。また、図２に示すように、ハウジング１０は、ツメ状の係止部１８を有している。係止部１８は、後述するように、バッテリ３０が収容部１２に収容された状態において、バッテリ３０を収容部１２に係止する。係止部１８は、図２に示すようなツメ状の部材に限定されず、バッテリ３０を収容部１２に係止することができれば、任意の形状および構成とすることができる。
【００１９】
また、図２に示すように、ハウジング１０内において、収容部１２を囲むようにして、枠状部材４０が取り付けられている。枠状部材４０は、バッテリ３０を収容部１２に収容させる際に通過させる枠を形成している。図２に示すように、枠状部材４０は、その内側の側壁の上（Ｙ軸正方向）端付近において、突起部４２を有している。図２に示す例においては、枠状部材４０は、その内側の側壁の上（Ｙ軸正方向）端付近の左右両側に１つずつ、計２つの突起部４２を有している。しかしながら、枠状部材４０はこのような構成に限定されず、図２に示す２つの突起部４２の左右いずれか一方のみとしてもよい。この突起部４２は、後述するように、バッテリ３０が収容部１２に収容された状態において、バッテリ３０が収容部１２に固定された状態を保持する。
【００２０】
図３は、電子機器１の内部構造を示す断面図である。図３（Ａ）は、図１に示した電子機器１のＡ−Ａ’における断面図である。すなわち、図３（Ａ）は、ハウジング１０にバッテリ３０を収容し、さらにハウジング１０をバッテリカバー２０で閉じた状態を示す断面図である。図３（Ｂ）は、図２に示した電子機器１のＡ−Ａ’における断面図である。すなわち、図３（Ｂ）は、ハウジング１０からバッテリカバー２０を取り外し、さらにハウジング１０からバッテリ３０を取り外した状態を示す断面図である。
【００２１】
図３（Ａ）および図３（Ｂ）に示すように、電子機器１は、ハウジング１０内において、収容部１２と、支持部１４と、バッテリ３０と、枠状部材４０と、パッキン５０と、を備えている。ここで、電子機器１の機能に応じて、ハウジング１内において各種の機能部を有することができるが、これらの図示および説明は省略する。例えば、電子機器１がスマートフォンである場合、ハウジング１内において、各種情報を表示する液晶ディスプレイ（ＬＣＤ）、情報の送受信に用いる通信モジュール、およびコントローラとしてのプロセッサ（ＣＰＵ）など、各種の機能部を備える。
【００２２】
支持部１４は、図３（Ａ）および図３（Ｂ）に示すように、ハウジング１０内において、収容部１２に収容されたバッテリ３０を支持する。支持部１４は、図３（Ａ）および図３（Ｂ）に示すように、バッテリ３０の側部３４の一部に適合させた形状にするのが好適である。このように支持部１４を形成することにより、バッテリ３０を収容部１２に収容した際に、支持部１４はバッテリ３０を安定して支持することができる。図３（Ａ）および図３（Ｂ）に示すように、バッテリカバー２０は、バッテリ３０が収容部１２に収容された状態で、バッテリ３０を覆う。
【００２３】
バッテリ３０は、図３（Ａ）および図３（Ｂ）に示すように、側部３４の角を落としたような断面形状とするのが好適である。バッテリ３０の断面形状は、図３に示したような形状に限定されず、例えば楕円形、台形、または多角形のような、各種の形状としてもよい。
【００２４】
枠状部材４０は、図３（Ａ）および図３（Ｂ）に示すように、ＸＹ平面に平行な平面において、バッテリ３０の周囲を取り囲む。図３（Ａ）および図３（Ｂ）に示すように、バッテリカバー２０は、その裏面（Ｚ軸負方向を向く面）側に、突出部２２を有している。この突出部２２は、ＸＹ平面に平行な平面において、枠状部材４０を取り囲むように突出している。突出部２２は、図３（Ａ）に示すように、ハウジング１０と枠状部材４０との間に形成される溝状の凹部に嵌合する。
【００２５】
図３（Ａ）および図３（Ｂ）に示すように、ハウジング１０をバッテリカバー２０で閉じた状態において、パッキン５０は、バッテリカバー２０と収容部１２との間に介在する。より詳細には、図３（Ｂ）に示すように、バッテリカバー２０をハウジング１０から外した状態では、パッキン５０は、枠状部材４０と支持部１４との間に挟まれている。この場合、図３（Ｂ）に示すように、パッキン５０は、ハウジング１０と枠状部材４０との間に形成される溝状の凹部において、外側に僅かにはみ出すように構成するのが好適である。
【００２６】
このような構成により、図３（Ａ）に示すように、バッテリカバー２０をハウジング１０に取り付けて、ハウジング１０と枠状部材４０との間に形成される溝状の凹部に突出部２２を嵌合させると、パッキン５０は僅かに押しつぶされる。図３（Ａ）に示すように、パッキン５０は、僅かに押しつぶされることにより、突出部２２に密着する。このため、仮にハウジング１０とバッテリカバー２０との間から水分が侵入したとしても、その水分がパッキン５０を通過して収容部１２まで到達することは阻止される。したがって、電子機器１は、ハウジング１０にバッテリカバー２０を取り付けた状態においては、収容部１２内の防水を実現することができる。このパッキン５０は、例えばシリコンゴムのような、適度な伸縮性を有する素材で構成するのが好適である。具体的には、パッキン５０は、例えばＯリングとすることができる。
【００２７】
図４は、電子機器１の内部構造を示す分解斜視図である。図４は、図２に示したハウジング１０から、枠状部材４０およびパッキン５０を取り外した状態を示す図である。
【００２８】
図４に示すように、ハウジング１０内にパッキン５０を取り付ける際は、支持部１４の突出部１４ａの外周側にパッキン５０を位置付ける（図３（Ｂ）も参照）。そして、図３（Ｂ）に示すように、パッキン５０を枠状部材４０と支持部１４との間で挟み込むようにして、パッキン５０を収容部１２の周囲に固定する。この時、図３（Ｂ）に示すように、パッキン５０は、枠状部材４０のフランジ部分と支持部１４とによって挟まれる状態になる。このように、枠状部材４０は、パッキン５０を収容部１２に固定する。典型的には、図３に示すように、枠状部材４０は、パッキン５０を収容部１２の周囲に固定する。このような構成において、突出部１４ａの（Ｚ軸方向の）高さを適宜調整することにより、パッキン５０が挟まれて押し潰される度合いを変化させ、またバッテリ３０に対する枠状部材４０の高さを変化させることができる。
【００２９】
係止部１８は、バッテリ３０の下（Ｙ軸負方向）端を係止することで、バッテリ３０が枠状部材４０を通過して収容部１２から外れることを抑止する。図４に示すように、係止部１８は、枠状部材４０に形成するのではなく、支持部１４（またはハウジング１０）に形成するのが好適である。係止部１８を支持部１４（またはハウジング１０）に形成することにより、係止部１８を支持部１４（またはハウジング１０）と同じ堅牢な素材で構成することができる。係止部１８を堅牢な素材で構成すれば、バッテリ３０を収容部１２に確実に固定することができる。堅牢な素材は、例えば、ポリアミド系の樹脂を母材としてガラス繊維を混入したガラス繊維強化プラスチックであってよい。
【００３０】
このように、本実施形態に係る電子機器１において、収容部１２の四隅のうち、隣り合う２つの隅のそれぞれ近傍に、突起部４２を設けてもよい。また、前述の場合、これら四隅のうち、隣り合う２つの隅以外の２つの隅のそれぞれ近傍に、係止部１８を設けてもよい。図４に示す例においては、収容部１２の四隅のうち、収容部１２の上（Ｙ軸正方向）端で隣り合う左右の２つの隅のそれぞれ近傍に、突起部４２を設けてある。図４に示す例においては、収容部１２の四隅のうち、突起部４２が設けられた２つの隅以外の２つの隅（収容部１２の下（Ｙ軸負方向）端）のそれぞれ近傍に、係止部１８を設けてある。
【００３１】
図４に示すように、枠状部材４０の四隅の少なくとも一部には、突起部４２を設ける。図４に示す例では、図２にも示したように、枠状部材４０は、その内側の側壁の上（Ｙ軸正方向）端付近の左右両側に１つずつ、計２つの突起部４２を有している。突起部４２は、その少なくとも一部が弾性を有するように構成する。突起部４２は、例えばポリカーボネートまたは合成樹脂のような、比較的硬質ながら適度な弾性を有する部材とするのが好適である。突起部４２は、バッテリ３０の上（Ｙ軸正方向）端を収容部１２に固定することで、バッテリ３０が収容部１２から外れることを抑止する。突起部４２は、図４に示すように、枠状部材４０と一体成型してもよい。また、図４に示す例とは異なり、突起部４２は、枠状部材４０とは別体として形成して、枠状部材４０に接着または組み込むことにより、枠状部材４０と一体化させてもよい。このように、本実施形態に係る電子機器１は、少なくとも一部が弾性を有する突起部４２を備えている。
【００３２】
以下、本実施形態に係る枠状部材４０および突起部４２について、さらに説明する。
【００３３】
図５は、電子機器１の枠状部材を説明する拡大図である。すなわち、図５は、図４に示した突起部４２を含む枠状部材４０を部分的に拡大した図である。より詳細には、図５（Ａ）は、図４に示した枠状部材４０および突起部４２を拡大して示す斜視図である。図５（Ｂ）は、図５（Ａ）に示した枠状部材４０および突起部４２を、Ｚ軸負方向を向いて見た状態を示す図である。
【００３４】
また、図６は、電子機器１の枠状部材を説明する断面図である。すなわち、図６は、図５に示す枠状部材４０（および突起部４２）の断面を示す図である。より詳細には、図６（Ａ）は、図５（Ｂ）に示す枠状部材４０および突起部４２のＰ−Ｐ’における断面図である。図６（Ｂ）は、図５（Ｂ）に示す枠状部材４０および突起部４２のＱ−Ｑ’における断面図である。図６（Ｃ）は、図５（Ｂ）に示す枠状部材４０のＲ−Ｒ’における断面図である。
【００３５】
図５に示す枠状部分４０（および突起部４２）の断面をＹ軸正方向に沿って見てみると、枠状部材４０は、その内側の側壁の上（Ｙ軸正方向）端付近までは、突起部４２を有さないように形成する（図５（Ｂ）および図６（Ｃ）参照）。また、枠状部材４０は、その内側の側壁の上（Ｙ軸正方向）端付近になると、突起部４２が派生するように形成する（図５（Ｂ）および図６（Ｂ）参照）。また、枠状部材４０は、その内側の側壁の上（Ｙ軸正方向）端直前になるにつれて、突起部４２が徐々に大きくなるように形成する（図５（Ｂ）および図６（Ａ）参照）。
【００３６】
図５（Ａ）および図５（Ｂ）に示すように、突起部４２は、枠状部材４０に形成したポケットのような形状をしている。また、図５（Ａ）および図５（Ｂ）に示すように、突起部４２の上（Ｙ軸正方向）端部は、枠状部材４０の内側の側壁に接続されておらず、枠状部材４０の内側の側壁から分離している。また、上述したように、突起部４２の少なくとも一部は、弾性を有する。したがって、突起部４２に所定方向の力が作用すると、突起部４２は、ポケットのような形状をした部分が板バネのような働きをすることで変形する。また、突起部４２に作用させていた所定方向の力が解除されると、突起部４２は、弾性変形により復元する。
【００３７】
具体的には、突起部４２は、図５（Ａ）および図５（Ｂ）に示す矢印Ｈの方向に変形することができる。より詳細には、図５（Ａ）および図５（Ｂ）において、突起部４２にＸ軸負方向の力が加えられると、当該力に応じて、突起部４２は、Ｘ軸負方向に若干変形する。一方、図５（Ａ）および図５（Ｂ）において、突起部４２に対してＸ軸負方向に加えられていた力が解除されると、突起部４２は、弾性変形により、変形前の形状に復元する。
【００３８】
次に、本実施形態に係る突起部４２の動作について、さらに説明する。
【００３９】
図７〜図１０は、本実施形態に係る電子機器１における突起部４２の動作を説明する図である。図７〜図１０は、電子機器１にバッテリ３０を収容する際の様子を、時系列の順に示している。図７〜図１０においては、電子機器１における枠状部材４０および突起部４２の動作について重点的に説明する。したがって、枠状部材４０および突起部４２に関連性の低い部材の図示および説明は、適宜願略化または省略する。
【００４０】
図７は、電子機器１の収容部１２に、バッテリ３０を収容させる動作における最初の段階の様子を示す図である。図７（Ａ）は、図２に示した電子機器１の収容部１２にバッテリ３０を収容する様子を示す図である。図７（Ｂ）は、図７（Ａ）に示す状態を、Ｘ軸負方向を向いて見た様子を示す図である。
【００４１】
図７に示すように、電子機器１においては、収容部１２にバッテリ３０を収容する際、バッテリ３０の一端（図７に示すバッテリ３０のほぼＺ軸負方向を向く面すなわち底面）側を、先に収容部１２に収容させる。この際、バッテリ３０の端子３６（図２参照）をほぼ下方向（Ｚ軸負方向）に向けて、先に収容部１２内に収容させる。これは、バッテリ３０が収容部１２に完全に収容された状態において、収容部１２内にある端子１６に、バッテリの端子３６を接触させるためである。図７に示すように、この段階では、バッテリ３０のいかなる部分も、枠状部材４０の突起部４２に触れることなく離れている。
【００４２】
図８は、電子機器１の収容部１２にバッテリ３０を収容させる動作において、図７の次の段階の様子を示す図である。図８（Ａ）は、図７（Ａ）に示した状態の次の段階の様子を示す図である。また、図８（Ｂ）は、図８（Ａ）に示す状態を、Ｘ軸負方向を向いて見た様子を示す図であり、図７（Ｂ）に示した状態の次の段階の様子を示す図である。また、図８（Ｃ）は、図８（Ｂ）に示すＰ−Ｐ’における断面図である。
【００４３】
図８は、図７に示したバッテリ３０を、収容部１２に向けて倒しながら収容する途中の過程を示している。より詳細には、図８は、図７に示したバッテリ３０が、収容部１２に収容されるに際し、突起部４２を変形させる前の段階を示している。バッテリ３０を収容部１２に向けて倒す際には、収容部１２内にある端子１６の方向にバッテリ３０の端子３６を寄せるようにして、倒すのが好適である。このようにすれば、バッテリ３０を収容部１２に完全に収容する際に、バッテリ３０の縦方向（Ｙ軸方向）の収容をスムーズに行うことができる。
【００４４】
図８に示す状態においては、バッテリ３０に対して、Ｚ軸負方向（図８（Ｃ）に示す矢印Ｖの方向）に力を加えていない。したがって、この段階においては、図８（Ｃ）に示すように、突起部４２が変形していない。このため、バッテリ３０は、これ以上収容部１２内に収容されずに、突起部４２に支持された状態で留まっている。
【００４５】
図９は、電子機器１の収容部１２にバッテリ３０を収容させる動作において、図８の次の段階の様子を示す図である。
【００４６】
図９（Ａ）は、図８（Ａ）に示した状態の次の段階の様子を示す図である。また、図９（Ｂ）は、図９（Ａ）に示す状態を、Ｘ軸負方向を向いて見た様子を示す図であり、図８（Ｂ）に示した状態の次の段階の様子を示す図である。また、図９（Ｃ）は、図９（Ｂ）に示すＰ−Ｐ’における断面図であり、図８（Ｃ）に示した状態の次の段階の様子を示す図である。
【００４７】
図９は、図８に示したバッテリ３０に対して、Ｚ軸負方向（図８（Ｃ）に示す矢印Ｖの方向）に力を加えて、収容部１２にバッテリ３０を収容する途中の過程を示している。より詳細には、図９は、図８に示したバッテリ３０が、収容部１２に収容されるに際し、突起部４２を変形させている段階を示している。
【００４８】
図９（Ｂ）に示すように、この段階では、バッテリ３０のＹ軸負方向側の端部は、係止部１８によって係止され、枠状部材４０を通過して収容部１２から外れることは抑止される。また、図９（Ｂ）に示すように、この段階では、バッテリ３０のＹ軸正方向側の端部は、突起部４２を変形させながら、およそ半分程度が収容部１２に収容されている。この状態においては、図９（Ｃ）に示すように、バッテリ３０に対して、Ｚ軸負方向（図９（Ｃ）に示す矢印Ｖの方向）に力が加えられている。
【００４９】
ここで、図９（Ｃ）に示すように、バッテリ３０は、側部３４（図２参照）の角が落とされて曲面を有している。したがって、図９（Ｃ）に示すように、バッテリ３０に対してＺ軸負方向（図９（Ｃ）に示す矢印Ｖの方向）に加えられる力は、Ｘ軸方向（図９（Ｃ）に示す矢印Ｈの方向）の成分を有するようになる。突起部４２は、少なくとも一部が弾性を有するため、このＸ軸方向（図９（Ｃ）に示す矢印Ｈの方向）の成分の力に起因して、それぞれ僅かに押しつぶされて、外側に広がる方向に変形する。図９（Ｃ）においては、図８（Ｃ）との比較から明らかなように、バッテリ３０が収容部１２に向けて少し沈むと同時に、突起部４２が矢印Ｈの方向に押しつぶされてそれぞれ変形している。
【００５０】
このように、電子機器１において、突起部４２は、バッテリ３０を収容部１２に収容する際に加わる応力により、変形する。したがって、図９（Ｃ）に示す状態において、さらにバッテリ３０に対してＺ軸負方向（図９（Ｃ）に示す矢印Ｖの方向）に力を加えることにより、バッテリ３０をさらに収容部１２に向けて押し込むことができる。
【００５１】
図１０は、電子機器１の収容部１２にバッテリ３０を収容させる動作において、図９の次の段階、すなわち最終段階の様子を示す図である。
【００５２】
図１０（Ａ）は、図９（Ａ）に示した状態の次の段階の様子を示す図である。また、図１０（Ｂ）は、図１０（Ａ）に示す状態を、Ｘ軸負方向を向いて見た様子を示す図であり、図９（Ｂ）に示した状態の次の段階の様子を示す図である。また、図１０（Ｃ）は、図１０（Ｂ）に示すＰ−Ｐ’における断面図であり、図９（Ｃ）に示した状態の次の段階の様子を示す図である。
【００５３】
図１０は、図９に示したバッテリ３０に対して、Ｚ軸負方向（図９（Ｃ）に示す矢印Ｖの方向）にさらに力を加えて、バッテリ３０が収容部１２に完全に収容された状態を示している。この状態においては、バッテリ３０は、突起部４２を押しつぶしておらず、突起部４２を変形させていない。
【００５４】
図１０（Ｂ）に示すように、この段階でも、バッテリ３０のＹ軸負方向側の端部は、係止部１８によって係止され、枠状部材４０を通過して収容部１２から外れることは抑止される。また、図１０（Ｂ）に示すように、この段階では、バッテリ３０のＹ軸正方向側の端部は、突起部４２を変形させていない。このため、図９において押しつぶされていた突起部４２は、弾性変形により、変形前の状態に復元する。したがって、図１０（Ｃ）に示すように、バッテリ３０が収容部１２に完全に収容された状態においては、突起部４２は、それぞれＸ軸方向（図１０（Ｃ）に示す矢印Ｈの方向）に弾性変形して、変形前の形状に復元する。
【００５５】
ここで、図１０（Ｃ）に示すように、バッテリ３０は、表面３２（図２参照）側においても、側部３４（図２参照）の角が落とされて曲面を有している。また、図１０（Ｃ）に示すように、突起部４２は、バッテリ３０の曲面に形状を合わせて湾曲している。したがって、図１０（Ｃ）に示すように、バッテリ３０は、収容部１２に完全に収容された状態においては、収容部１２に固定された状態が保持される。
【００５６】
このように、電子機器１において、突起部４２は、バッテリ３０が収容部１２に収容されると復元して、バッテリ３０を保持する。また、突起部４２は、バッテリ３０が収容部１２に収容された状態において、バッテリ３０が収容部１２から外れる動きを抑制してもよい。このようにすれば、バッテリ３０を収容部１２に収容された状態において、例えば電子機器１を誤って地面に落下させるなどして強い衝撃が加わったような場合であっても、バッテリ３０が収容部１２から外れてしまうようなことは抑止される。このような効果は、少なくとも１つの突起部４２を形成または取り付けるという、非常に簡単な構成により達成することができる。
【００５７】
また、電子機器１においては、突起部４２の少なくとも一部は弾性を有する。このため、電子機器１においては、突起部４２の変形により、バッテリ３０を収容部１２から取り外したり収容部１２に取り付けたりする動作を、比較的容易に行うことができる。この場合、枠状部材４０およびバッテリ３０の少なくとも一方に、ユーザの爪を引っ掛けてバッテリ３０を取り外すことができるような構造を形成するとよい。
【００５８】
また、上述したように、突起部４２は、バッテリ３０を収容部１２に収容する際に加わる応力によりが変形する。ここで、バッテリ３０を収容部１２に収容する際に、バッテリ３０の端子が収容部１２の端子に押し当てられる方向は、バッテリ３０が収容部１２に収容される方向と異なってもよい。例えば、図１０等に示した例においては、バッテリ３０の端子が収容部１２の端子に押し当てられる方向はＹ軸負方向であり、バッテリ３０が収容部１２に収容される方向はＺ軸負方向であり、異なっている。このように構成により、バッテリ３０の端子が収容部１２の端子に押し当てられる方向のバッテリ３０のサイズに合わせて収容部１２のサイズを決定すれば、別途その方向にバッテリ３０が動かないように固定する機構を設ける必要はない。
【００５９】
以上説明したように、本実施形態によれば、バッテリ３０の着脱を容易にするとともに、バッテリ３０が収容部１２から外れてしまう可能性を低減することを、簡単な構成で実現できる。
【００６０】
本開示を諸図面および実施例に基づき説明してきたが、当業者であれば本開示に基づき種々の変形および修正を行うことが容易であることに注意されたい。したがって、これらの変形および修正は本開示の範囲に含まれることに留意されたい。例えば、各機能部、各手段、各ステップなどに含まれる機能などは論理的に矛盾しないように再配置可能であり、複数の機能部およびステップなどを１つに組み合わせたり、或いは分割したりすることが可能である。また、上述した本開示の各実施形態は、それぞれ説明した各実施形態に忠実に実施することに限定されるものではなく、適宜、各特徴を組み合わせたり、一部を省略したりして実施することもできる。
【符号の説明】
【００６１】
１  電子機器
１０  ハウジング
１２  収容部
１４  支持部
１６  端子
１８  係止部
２０  バッテリカバー
２２  突出部
３０  バッテリ
３２  表面
３４  側部
３６  端子
４０  枠状部材
４２  突起部
５０  パッキン
【図１】
2018113426.tif 000003
【図２】
2018113426.tif 000004
【図３】
2018113426.tif 000005
【図４】
2018113426.tif 000006
【図５】
2018113426.tif 000007
【図６】
2018113426.tif 000008
【図７】
2018113426.tif 000009
【図８】
2018113426.tif 000010
【図９】
2018113426.tif 000011
【図１０】
2018113426.tif 000012